(57)【要約】      （修正有）【課題】回転電機用電機子を小型化でき且つ相間絶縁の施工を容易に行える構造を得る。【解決手段】回転電機用電機子２が、渡り部２８Ｂの径方向外側面における周方向全体を覆う径方向外側絶縁部６０ａと、渡り部２８Ｂの径方向内側面における周方向全体を覆う径方向内側絶縁部６０ｂと、径方向外側絶縁部６０ａと径方向内側絶縁部６０ｂとを繋いで渡り部２８Ｂの周方向一方端部を覆う周方向一方側絶縁部６０ｃと、径方向外側絶縁部６０ａと径方向内側絶縁部６０ｂとを繋いで渡り部２８Ｂの周方向他方端部を覆う周方向他方側絶縁部６０ｄと、径方向外側絶縁部６０ａと径方向内側絶縁部６０ｂとを繋いで渡り部２８Ｂの軸方向外側端部を覆う軸方向外側絶縁部６０ｅと有する相間絶縁物６０Ａを備える。【選択図】図１４
2010239741.tif 000002
【特許請求の範囲】
【請求項１】
複数相のコイル間の相間絶縁を確保するための相間絶縁物を備えた回転電機用電機子であって、
略円筒状のコアに巻装されるコイルにおける前記コアから軸方向に突出する少なくとも一方の端部が、異なる周方向位置に配置されている同相のコイル辺部の間を接続するように周方向に延びるとともに軸方向に突出した形状の渡り部を各相について備えるとともに、各相の前記渡り部が径方向及び周方向に整列配置されてなる整列コイルエンド部とされている場合における、前記渡り部に装着され、
前記渡り部の径方向外側面における周方向全体を覆う径方向外側絶縁部と、前記渡り部の径方向内側面における周方向全体を覆う径方向内側絶縁部と、前記径方向外側絶縁部と前記径方向内側絶縁部とを繋いで前記渡り部の周方向一方端部を覆う周方向一方側絶縁部と、前記径方向外側絶縁部と前記径方向内側絶縁部とを繋いで前記渡り部の周方向他方端部を覆う周方向他方側絶縁部と、前記径方向外側絶縁部と前記径方向内側絶縁部とを繋いで前記渡り部の軸方向外側端部を覆う軸方向外側絶縁部と、を有する相間絶縁物を備える回転電機用電機子。
【請求項２】
前記相間絶縁物は、略矩形シート状の絶縁材料を２つ折りに折り曲げるとともに、当該折り曲げ部以外の３つの辺部のうちの２つの辺部を接合してなる請求項１に記載の回転電機用電機子。
【請求項３】
前記径方向外側絶縁部と前記径方向内側絶縁部と前記周方向一方側絶縁部と前記周方向他方側絶縁部とは筒状の絶縁材料で形成されると共に、前記軸方向外側絶縁部は樹脂シートを絞り加工した底付き筒形状のキャップ部材で形成され、前記相間絶縁物は前記筒状の絶縁材料の一方の開口端部を前記キャップ部材に接合してなる請求項１に記載の回転電機用電機子。
【請求項４】
３相のコイルを備え、
前記相間絶縁物は、前記３相のうちの２相のコイルの前記渡り部に装着される請求項１からの３の何れか一項に記載の回転電機用電機子。
【請求項５】
第一相と第二相と第三相とで構成される３相のコイルを備え、
前記第一相の複数の前記渡り部と前記第三相の複数の前記渡り部とが、径方向に異なる位置に配置されるとともに周方向には一部だけ重複するように周方向にずらして配置され、
前記第二相の前記渡り部が、周方向の所定位置に径方向の段差部を有し、
前記第二相の前記渡り部の前記段差部に対して周方向一方側部分が、前記第一相及び前記第三相の一方の前記渡り部と径方向に同じ位置に配置されるとともに前記第一相及び前記第三相の他方と周方向に重複するように配置され、
前記第二相の前記渡り部の前記段差部に対して周方向他方側部分が、前記第一相及び前記第三相の他方の前記渡り部と径方向に同じ位置に配置されるとともに前記第一相及び前記第三相の一方と周方向に重複するように配置され、
前記相間絶縁物は、前記第一相及び前記第三相の前記渡り部に装着される請求項４に記載の回転電機用電機子。
【請求項６】
前記コアに分布巻の形態で巻装される３相のコイルを備え、
前記整列コイルエンド部において前記３相のうちの２相のコイルの前記渡り部が、互いに周方向に一部が重複するとともに当該重複する部分が径方向に対向するように配置され、
前記相間絶縁物は、当該径方向に対向する２相の前記渡り部のうちの一方に装着される請求項１から３の何れか一項に記載の回転電機用電機子。
【請求項７】
第一相と第二相と第三相とで構成される３相のコイルを備え、
前記第一相の複数の前記渡り部と前記第三相の複数の前記渡り部とが、径方向に異なる位置に配置されるとともに周方向には一部だけ重複するように周方向にずらして配置され、
前記第二相の前記渡り部が、周方向の所定位置に径方向の段差部を有し、
前記第二相の前記渡り部の前記段差部に対して周方向一方側部分が、前記第一相及び前記第三相の一方の前記渡り部と径方向に同じ位置に配置されるとともに前記第一相及び前記第三相の他方と周方向に重複するように配置され、
前記第二相の前記渡り部の前記段差部に対して周方向他方側部分が、前記第一相及び前記第三相の他方の前記渡り部と径方向に同じ位置に配置されるとともに前記第一相及び前記第三相の一方と周方向に重複するように配置され、
前記相間絶縁物は、周方向に配置された複数の前記第二相の前記渡り部のうちの１つおきに装着され、且つ、当該装着された前記第二相の前記渡り部と周方向に重複しない前記第一相および前記第三相の前記渡り部に装着される請求項６に記載の回転電機用電機子。
【発明の詳細な説明】
【技術分野】
【０００１】
本発明は、複数相のコイル間の相間絶縁を確保するための相間絶縁物を備えた回転電機用電機子に関する。
【背景技術】
【０００２】
モータ（電動機）、ジェネレータ（発電機）、及び、必要に応じてモータ及びジェネレータの双方の機能を果たすモータ・ジェネレータなどの回転電機において、回転磁界を作るために電機子が設けられる。一般的な回転電機用電機子の一つとして、軸方向に延びる複数のスロットが周方向に分散配置されるとともに各スロットが径方向内側に開口する内周開口部を有して構成された円筒状のコアと、複数のスロットに分布巻きの形態で巻装される複数相のコイルとを備えるものがある。また、コイルの材料として細い導線を用いるのが一般的である。例えば、コアにＵ相、Ｖ相、Ｗ相の３相のコイルが巻装される場合、同相の複数本の導線が各スロットに巻装されてコアの軸方向両端部に引き出され、スロット間の渡り部として束にされる。このような構成の回転電機用電機子では、コアの軸方向両端部には複数相のコイルの渡り部があるため、それらの渡り部の異相間絶縁を確保するための相間絶縁物を設ける必要がある。
【０００３】
特許文献１に記載の回転電機用電機子では、コアから軸方向に突出する各相の渡り部が、コアの径方向及び周方向に並んで配置されている。そして、各相の渡り部についての異相間絶縁を確保する目的で、相間絶縁物を設けている。具体的には、特許文献１の図２（ａ）、図４及び図５に示されているように、相間絶縁物（異相間絶縁紙８）は、径方向に互いに隣接して配置された異なる相の渡り部の間において、コアの周方向全体にわたって軸方向に沿って延びる筒状形状で設けられている。このとき、異相間の沿面距離を長くするために、コアからの軸方向外側への相間絶縁物の突出長さは渡り部の突出長さよりも長くしている。また、各相の渡り部と、異相間絶縁用の相間絶縁物などは、絶縁糸で互いに緊縛された後、ワニスによって固着される。
【先行技術文献】
【特許文献】
【０００４】
【特許文献１】特開２００８−１３１７４９号公報
【発明の概要】
【発明が解決しようとする課題】
【０００５】
特許文献１に記載の異相間絶縁用の相間絶縁物は、渡り部よりも軸方向外側に突出しているため、回転電機用電機子が軸方向に長くなってしまい、その結果、回転電機用電機子を小型化できないという問題がある。
また、特許文献１では、渡り部の間に挿入されている相間絶縁物の位置は不安定であるため、適切に相間絶縁を行える形態で相間絶縁物の位置を固定するためには、ワニスによる固定を行う前に上述したように緊縛糸で緊縛するといった煩雑な施工が必要になる。
【０００６】
本発明は、上記の課題に鑑みてなされたものであり、その目的は、回転電機用電機子を小型化でき且つ相間絶縁の施工を容易に行える相間絶縁物を備える回転電機用電機子を提供する点にある。
【課題を解決するための手段】
【０００７】
この目的を達成するための、本発明に係る複数相のコイル間の相間絶縁を確保するための相間絶縁物を備えた回転電機用電機子の特徴構成は、略円筒状のコアに巻装されるコイルにおける前記コアから軸方向に突出する少なくとも一方の端部が、異なる周方向位置に配置されている同相のコイル辺部の間を接続するように周方向に延びるとともに軸方向に突出した形状の渡り部を各相について備えるとともに、各相の前記渡り部が径方向及び周方向に整列配置されてなる整列コイルエンド部とされている場合における、前記渡り部に装着され、前記渡り部の径方向外側面における周方向全体を覆う径方向外側絶縁部と、前記渡り部の径方向内側面における周方向全体を覆う径方向内側絶縁部と、前記径方向外側絶縁部と前記径方向内側絶縁部とを繋いで前記渡り部の周方向一方端部を覆う周方向一方側絶縁部と、前記径方向外側絶縁部と前記径方向内側絶縁部とを繋いで前記渡り部の周方向他方端部を覆う周方向他方側絶縁部と、前記径方向外側絶縁部と前記径方向内側絶縁部とを繋いで前記渡り部の軸方向外側端部を覆う軸方向外側絶縁部と、を有する相間絶縁物を備える点にある。
なお、本願では、「軸方向」、「径方向」及び「周方向」の各方向は、略円筒状のコアを基準として定めるものとする。このとき、コイルについての各方向は、コイルがスロットに巻装された状態での方向として規定するものとする。また、「回転電機」は、モータ（電動機）、ジェネレータ（発電機）、及び、必要に応じてモータ及びジェネレータの双方の機能を果たすモータ・ジェネレータのいずれをも含む概念として用いている。
【０００８】
上記の特徴構成によれば、渡り部の軸方向外側端部は相間絶縁物によって覆われているため、従来のように相間絶縁物を軸方向外側に長くして沿面距離を確保しなくても、渡り部の軸方向外側端部と他の相の渡り部との相間絶縁は確実になる。つまり、コアから軸方向外側への相間絶縁物の突出長さは渡り部の軸方向外側端部を覆うことのできるだけの長さがあればよい。よって、コアから軸方向外側への相間絶縁物の突出長さを短くでき、それに伴って回転電機用電機子の軸方向長さを短くできる。
また、相間絶縁物の形状は、渡り部の、径方向外側面における周方向全体と、径方向内側面における周方向全体と、周方向一方端部と、周方向他方端部と、軸方向外側端部とを覆う、所謂、袋形状である。そして、その袋形状の相間絶縁物を各渡り部に被せることで相間絶縁物の装着を行えるため、相間絶縁の施工は容易になる。
したがって、回転電機用電機子を小型化でき且つ相間絶縁の施工を容易に行える相間絶縁物を提供できる。
【０００９】
また、前記相間絶縁物は、略矩形シート状の絶縁材料を２つ折りに折り曲げるとともに、当該折り曲げ部以外の３つの辺部のうちの２つの辺部を接合してなる構成とすると好適である。
【００１０】
この構成によれば、１枚のシート状の絶縁材料を用いて相間絶縁物を作製できるので、相間絶縁物の作製に要するコストを小さくできる。
【００１１】
また、前記径方向外側絶縁部と前記径方向内側絶縁部と前記周方向一方側絶縁部と前記周方向他方側絶縁部は筒状の絶縁材料で形成されると共に、前記軸方向外側絶縁部は絶縁性の樹脂シートを絞り加工した底付き筒形状のキャップ部材で形成され、前記相間絶縁物は、前記筒状の絶縁材料の一方の開口端部を前記キャップ部材に接合してなる構成とすると好適である。
【００１２】
この構成によれば、筒状の絶縁材料を用いて上記径方向外側絶縁部と上記径方向内側絶縁部と上記周方向一方側絶縁部と上記周方向他方側絶縁部とを構成でき、キャップ部材を用いて上記軸方向外側絶縁部を構成できる。
【００１３】
また、３相のコイルを備え、前記相間絶縁物は、前記３相のうちの２相のコイルの前記渡り部に装着される構成とすると好適である。
【００１４】
この構成によれば、３相のうちの２相のコイルの各渡り部全体が相間絶縁物によって覆われるので、残りの１相のコイルの各渡り部を相間絶縁物によって覆わなくても、各相間の絶縁を確保できる。よって、相間絶縁物の量を少なくできる。
【００１５】
また、第一相と第二相と第三相とで構成される３相のコイルを備え、前記第一相の複数の前記渡り部と前記第三相の複数の前記渡り部とが、径方向に異なる位置に配置されるとともに周方向には一部だけ重複するように周方向にずらして配置され、前記第二相の前記渡り部が、周方向の所定位置に径方向の段差部を有し、前記第二相の前記渡り部の前記段差部に対して周方向一方側部分が、前記第一相及び前記第三相の一方の前記渡り部と径方向に同じ位置に配置されるとともに前記第一相及び前記第三相の他方と周方向に重複するように配置され、前記第二相の前記渡り部の前記段差部に対して周方向他方側部分が、前記第一相及び前記第三相の他方の前記渡り部と径方向に同じ位置に配置されるとともに前記第一相及び前記第三相の一方と周方向に重複するように配置され、前記相間絶縁物は、前記第一相及び前記第三相の前記渡り部に装着される構成とすると好適である。
【００１６】
渡り部には、上記段差部を有する形状の渡り部と上記段差部を有しない形状の渡り部とがある。よって、上記段差部を有する形状の渡り部と上記段差部を有しない形状の渡り部との両方に相間絶縁物を装着するためには、別々の形状の相間絶縁物を用意するか、又は、両方の渡り部に装着可能な程度の形状自由度のある（即ち、大きめの）形状の相間絶縁物を用意する必要がある。
ところが、本特徴構成によれば、第一相のコイルの渡り部及び第三相のコイルの渡り部は、第二相のコイルの渡り部とは異なり段差部を有しない形状になっている。つまり、同じ形状の相間絶縁物を、第一相のコイルの渡り部及び第三相のコイルの渡り部に対して無理なく装着できる。よって、別々の形状の相間絶縁物を用意することや、又は、両方の渡り部に装着可能な程度の形状自由度のある（即ち、大きめの）形状の相間絶縁物を用意することなどが不要になる。
【００１７】
また、前記コアに分布巻の形態で巻装される３相のコイルを備え、前記相間絶縁物は、前記整列コイルエンド部において前記３相のうちの２相のコイルの前記渡り部が、互いに周方向に一部が重複するとともに当該重複する部分が径方向に対向するように配置され、当該径方向に対向する２相の前記渡り部のうちの一方に装着される構成とすると好適である。
【００１８】
相間絶縁物は各渡り部の全体を覆うため、径方向に部分的に対向して配置されている二つの渡り部のそれぞれに相間絶縁物が装着されると、その対向した部分は二重に相間絶縁物が存在することになる。つまり、過剰な相間絶縁対策が施されていることになる。
ところが、本特徴構成によれば、相間絶縁物が周方向に重複しない（即ち、径方向に対向しない）形態で渡り部に相間絶縁物が装着される。つまり、過剰な相間絶縁対策を施さないことで、必要となる相間絶縁物の量を少なくできる。
【００１９】
また、第一相と第二相と第三相とで構成される３相のコイルを備え、前記第一相の複数の前記渡り部と前記第三相の複数の前記渡り部とが、径方向に異なる位置に配置されるとともに周方向には一部だけ重複するように周方向にずらして配置され、前記第二相の前記渡り部が、周方向の所定位置に径方向の段差部を有し、前記第二相の前記渡り部の前記段差部に対して周方向一方側部分が、前記第一相及び前記第三相の一方の前記渡り部と径方向に同じ位置に配置されるとともに前記第一相及び前記第三相の他方と周方向に重複するように配置され、前記第二相の前記渡り部の前記段差部に対して周方向他方側部分が、前記第一相及び前記第三相の他方の前記渡り部と径方向に同じ位置に配置されるとともに前記第一相及び前記第三相の一方と周方向に重複するように配置され、前記相間絶縁物は、周方向に配置された複数の前記第二相の前記渡り部のうちの１つおきに装着され、且つ、当該装着された前記第二相の前記渡り部と周方向に重複しない前記第一相および前記第三相の前記渡り部に装着される構成とすると好適である。
【００２０】
この構成によれば、相間絶縁物が装着される第二相の渡り部の周方向一方側部分と径方向に対向する相の渡り部には相間絶縁物が装着されないので、その第二相の渡り部の周方向一方側部分と周方向に隣接する相の渡り部には相間絶縁物が装着される。また、相間絶縁物が装着される第二相の渡り部の周方向他方側部分と径方向に対向する相の渡り部には相間絶縁物が装着されないので、その第二相の渡り部の周方向他方側部分と周方向に隣接する相の渡り部には相間絶縁物が装着される。つまり、相間絶縁物は、端部が周方向に順に隣接している第一相の渡り部と第二相の渡り部と第三相の渡り部に装着され、且つ、それら相間絶縁物が装着された第一相と第二相と第三相の渡り部と径方向に対向する渡り部には相間絶縁物は装着されない。よって、第二相の渡り部の周方向への並びと相間絶縁物の装着状態とに着目すると、相間絶縁物が装着された渡り部と装着されていない渡り部とが周方向に交互に配列され、第一相の渡り部及び第三相の渡り部についても、相間絶縁物が装着された渡り部と装着されていない渡り部とが周方向に交互に配列される。従って、第一相、第二相及び第三相の全渡り部のうちの１／２に相間絶縁物を装着すればよく、必要となる相間絶縁物の数を少なくできる。更に、相間絶縁物が周方向に重複しない（即ち、径方向に対向しない）形態で渡り部に相間絶縁物が装着されるので、過剰な相間絶縁対策が施されることもない。
【図面の簡単な説明】
【００２１】
【図１】回転電機の全体構成を示す断面図である。
【図２】ステータの全体構成を示す斜視図である。
【図３】（ａ）はステータコアの一部分の平面図であり、（ｂ）はステータコアにコイルが巻装された状態を説明する一部断面図である。
【図４】ステータコアに巻装されるＵ相のコイルを示す斜視図である。
【図５】ステータコアに巻装されるＶ相のコイルを示す斜視図である。
【図６】ステータコアに巻装されるＷ相のコイルを示す斜視図である。
【図７】リード線と接続される側のコイルエンド部の平面図である。
【図８】リード線と接続される側のコイルエンド部の側面図である。
【図９】リード線と接続される側のコイルエンド部における各相の渡り部の、軸方向から見た配置状態を模式的に示す図である。
【図１０】ステータコアに各相のコイルを挿入する工程を説明する斜視図である。
【図１１】（ａ）は相間絶縁物の斜視図であり、（ｂ）は相間絶縁物の展開図である。
【図１２】相間絶縁物を装着した場合における、各相の渡り部の、軸方向から見た配置状態を模式的に示す図である。
【図１３】渡り部に相間絶縁物を装着した状態を例示するステータの斜視図である。
【図１４】渡り部に相間絶縁物を装着した状態を例示するステータの斜視図である。
【図１５】相間絶縁物を装着した場合における、各相の渡り部の、軸方向から見た配置状態を模式的に示す図である。
【図１６】渡り部に相間絶縁物を装着した状態を例示するステータの斜視図である。
【図１７】渡り部に相間絶縁物を装着した状態を例示するステータの斜視図である。
【図１８】別実施形態の相間絶縁物の斜視図である。
【発明を実施するための形態】
【００２２】
本発明に係る複数相のコイル間の相間絶縁を確保するための相間絶縁物を備える回転電機用電機子の実施形態について、図面を参照して説明する。本実施形態においては、先ず、相間絶縁物が設けられていない形態の回転電機用電機子の構成について説明し、その後、相間絶縁物が設けられた形態の本発明に係る回転電機用電機子の構成について説明する。
図１は、回転電機の全体構成を示す断面図であり、図２は、ステータの全体構成を示す斜視図である。図３（ａ）はステータコアの一部分の平面図であり、図３（ｂ）はステータコアにコイルが巻装された状態を説明する一部断面図である。
【００２３】
１．回転電機の全体構成
図１に示すように、回転電機１は、ステータ２、ロータ３及びケース５を備えている。ステータ２はコイル２１を備えており、当該コイル２１に電流を流すことで磁界を発生させることができる。本実施形態においては、ステータ２が本発明における「回転電機用電機子」に相当する。ステータ２は、ケース５の内周面に固定されている。ステータ２の構成については後に詳細に説明する。また、ステータ２の径方向内方側には、永久磁石（図示せず）を備えた界磁としてのロータ３が、ロータ軸４を回転軸としてステータ２に対して相対回転可能に配置されている。すなわち、本実施形態における回転電機１は、電機子としてのステータ２を備えたインナーロータ型の回転電機とされている。ケース５は、軸方向の一方の端部に端壁５ａが設けられた円筒形状に形成されている。ケース５は軸方向他端側に開口しており、当該開口を塞ぐようにケース５にカバー６が取り付けられている。そして、ケース５の端壁５ａ及びカバー６の径方向中央部に軸受７が設けられており、ロータ３及びロータ軸４は軸受７を介してケース５及びカバー６に対して回転可能に支持されている。
【００２４】
２．ステータの構成
図２及び図３に示すように、ステータ２は、ステータコア１１及びコイル２１を備えている。ステータコア１１は、複数枚の中空円板状の電磁鋼板を積層して構成されており、略円筒形状に形成されている。ステータコア１１の内周面には、その軸方向Ｌに延びる複数のスロット１２が周方向Ｃに分散配置される。加えて、各スロット１２は径方向内方側：Ｒ１側に開口する内周開口部１３を有する。本実施形態においては、このステータコア１１が本発明における「コア」に相当する。各スロット１２は互いに同じ断面形状であって、所定の周方向幅及び径方向深さを有している。本実施形態においては、ステータコア１１には、その全周で計４８個のスロット１２が設けられている。本実施形態においては、コイル２１は、その断面が略矩形状の単一の角型導線を用いた線状導体３１により構成されている。
【００２５】
図３（ａ）に示すように、ステータコア１１の互いに隣接するスロット１２（Ｕ相スロット１２ｕ、Ｖ相スロット１２ｖ、Ｗ相スロット１２ｗ）間には、ティース１５が設けられている。ティース１５の径方向内方側の端部には、周方向に突出する突出部１６がティース１５の周方向の両側に設けられている。本実施形態では、突出部１６は、軸方向に直交する断面の形状が略矩形状であって、軸方向に連続するように、ティース１５と一体的に形成されている。そして、隣接する２つのティース１５のそれぞれに設けられた周方向に対向する２つの突出部１６間に、内周開口部１３が形成されている。また、スロット１２における内周開口部１３よりも径方向外方側の空間は、スロット内部１４とされる。
【００２６】
上記のとおり、隣接する２つのティース１５のそれぞれに設けられた周方向に対向する２つの突出部１６間に、内周開口部１３が形成されている。したがって、本実施形態におけるステータコア１１が有するスロット１２は、径方向内方側に開口する内周開口部１３の周方向幅Ｗ１がスロット内部１４の周方向幅Ｗ３よりも狭く形成されたセミオープンスロットとなっている。スロット内部１４には、コイル２１を構成する線状導体３１が配置されて、スロット１２にコイル２１が巻装される。このとき、スロット１２とコイル２１との間にはスロット内絶縁シート（図示せず）が配置される。
【００２７】
ステータ２は、複数の互いに異なる相のコイル２１を備えている。本実施形態においては、ステータ２は三相交流で駆動される回転電機１に用いられるステータとされている。よって、ステータ２は、複数のスロット１２に分布巻きの形態で巻装されるＵ相、Ｖ相、及びＷ相の三相のコイル２１（本発明における「第一相と第二相と第三相とで構成される３相のコイル」を備える。本実施形態では、スロット１２のサイズとの関係においてコイル２１の占積率を最大化させるべく、コイル２１を構成する線状導体３１の周方向幅Ｗ５はスロット内部１４の周方向幅Ｗ３と略等しくなるように形成されている。より具体的には、線状導体３１の周方向幅Ｗ５は、線状導体３１を用いて形成されるコイル２１が物理的にスロット内部１４に挿入可能であるという前提条件の下で、スロット内部１４の周方向幅Ｗ３と略等しい値に設定される。これにより、コイル２１の占積率を向上させることで回転電機１のエネルギ効率の向上が図られている。上記のとおり、本実施形態においては、ステータコア１１が有するスロット１２はセミオープンスロットとなっており、内周開口部１３の周方向幅Ｗ１はスロット内部１４の周方向幅Ｗ３よりも狭い。したがって、スロット内部１４の周方向幅Ｗ３と略等しい周方向幅を有する線状導体３１の周方向幅Ｗ５は、スロット１２の内周開口部１３の周方向幅Ｗ１よりも広く形成されることになる。そこで、本実施形態においては、各コイル２１における屈曲コイルエンド部２４の径方向導体部２５は、その周方向幅Ｗ７がスロット１２の内周開口部１３の周方向幅Ｗ１よりも狭い幅狭凹部３２を備えた構成とされている。
【００２８】
２．１  コイルの構成
次に、各相のコイル２１（２１ｕ、２１ｖ、２１ｗ）について説明する。
図４はステータコアに巻装されるＵ相のコイルを示す斜視図であり、図５はステータコアに巻装されるＶ相のコイルを示す斜視図であり、図６はステータコアに巻装されるＷ相のコイルを示す斜視図である。図７はリード線と接続される側のコイルエンド部の平面図である。図８は、リード線と接続される側のコイルエンド部の側面図である。図９は、リード線が設けられるコイルエンド部側における各相の渡り部の、軸方向から見た配置状態を模式的に示す図である。尚、上述したように、ここではコイル２１の構成を説明することが目的であるので、相間絶縁物は図示していない。
【００２９】
図４はＵ相コイル２１ｕであり、図５はＶ相コイル２１ｖであり、図６はＷ相コイル２１ｗである。本実施形態において、各相のコイル２１（２１ｕ、２１ｖ、２１ｗ）は、図４〜図６に示すように、全体として略円筒状の波型形状に形成されている。各相のコイル２１（２１ｕ、２１ｖ、２１ｗ）は、スロット１２内に配置されるコイル辺部２２と、異なるスロット１２内に配置される一対のコイル辺部２２間をステータコア１１の軸方向Ｌ両端部において接続するコイルエンド部２３と、を備えている。コイル辺部２２は、それぞれスロット内部１４の形状に対応して軸方向Ｌに沿って延びるように直線状に形成されている。
【００３０】
コイルエンド部２３は、それぞれ異なるスロット１２に配置される一対のコイル辺部２２の間を接続して周方向Ｃに沿って延びるとともに軸方向Ｌに突出した形状の渡り部２８Ａ、２８Ｂを形成する。つまり、図４〜図６に示すように、コイル２１は、軸方向Ｌに延びて複数のスロット１２内に順次配置される各コイル辺部２２を、軸方向一端側：Ｌ２側の渡り部２８Ｂ（コイルエンド部２３、整列コイルエンド部２９Ａ）と軸方向他端側：Ｌ１側の渡り部２８Ａ（コイルエンド部２３、屈曲コイルエンド部２４）とで交互に接続して、ステータコア１１の周方向Ｃを巡回する波形に形成されている。このように、各相のコイル２１は、各コイル辺部２２がそれぞれ対応するスロット１２内に配置された状態で、ステータコア１１に波巻で巻装される形状となるように予め形成されている。
屈曲コイルエンド部２４は、図４〜図６に示すように、屈曲部３４においてコイル辺部２２に対して略直角に径方向内方側：Ｒ１側へ屈曲している。屈曲コイルエンド部２４を構成する各相のコイルエンド部２３は、各スロット１２内に配置されているコイル辺部２２から屈曲されて径方向Ｒに延びる径方向導体部２５と、内周開口部１３よりも径方向内方側：Ｒ１側で一対の径方向導体部２５間を接続するように周方向Ｃに延びる周方向導体部２６とを備える。
【００３１】
また、本実施形態においては、コイル２１は、同じスロット１２内に配置される２本のコイル辺部２２を一組として形成されている。２本一組のコイル辺部２２は、連続する一本の線状導体３１を、ステータコア１１の周方向Ｃに二巡回させて形成されている。また、同相のコイル２１を構成する２本一組のコイル辺部２２の二組が、互いに隣接するスロット１２内に配置されるように周方向Ｃに並列して配置されている。二組のコイル辺部２２は、コイルエンド部２３の所定位置で連続するように接続されている。したがって、図４〜図６に示されるコイル２１は、連続する一本の線状導体３１を、ステータコア１１の周方向Ｃを四巡回させて形成されている。本実施形態においては、図４〜図６に示される形状と略同様の形状を有するコイル２１が、同じスロット１２内に径方向Ｒに隣接して三組配置される。したがって、隣接する２つのスロット１２のそれぞれについて、６本のコイル辺部２２がスロット１２内において径方向Ｒに並んで、一列に整列して配置される。
【００３２】
図３（ｂ）に示すように、ステータコア１１には、互いに隣接する２つのＵ相スロット１２ｕと、互いに隣接する２つのＶ相スロット１２ｖと、互いに隣接する２つのＷ相スロット１２ｗとが、順次繰り返して形成されている。そして、図４〜図６に示される形状のＵ相コイル２１ｕ、Ｖ相コイル２１ｖ、及びＷ相コイル２１ｗの各コイル辺部２２が、周方向Ｃに二スロット分ずつ順次ずれながら、それぞれＵ相スロット１２ｕ、Ｖ相スロット１２ｖ、及びＷ相スロット１２ｗに配置される。
【００３３】
２．２  整列コイルエンド部の構成
図４〜図９に示すように、各相のコイル２１のうち、ステータコア１１から軸方向Ｌに突出する少なくとも軸方向一端側：Ｌ２側の渡り部２８Ｂ（コイルエンド部２３）が、径方向Ｒ及び周方向Ｃに整列配置されてなる整列コイルエンド部２９Ａとされている。また、渡り部２８Ｂの一部は、リード線との接続部２９Ｂになっている。そして、接続部２９Ｂの一部は、整列コイルエンド部２９Ａの軸方向外側：Ｌ２側を引き回されている。
【００３４】
図７及び図９に示すように、整列コイルエンド部２９Ａは、Ｕ相、Ｖ相及びＷ相の渡り部２８Ｂ（コイルエンド部２３）を一組として構成され、複数組（本実施形態では三組）の整列コイルエンド部２９Ａが径方向Ｒに並んで配置される。具体的には、図９の上から１層目及び２層目のＵ相、Ｖ相及びＷ相の渡り部２８Ｂによって一組の整列コイルエンド部２９Ａが構成される。また、３層目及び４層目のＵ相、Ｖ相及びＷ相の渡り部２８Ｂによって別の一組の整列コイルエンド部２９Ａが構成される。更に、５層目及び６層目のＵ相、Ｖ相及びＷ相の渡り部２８Ｂによって更に別の一組の整列コイルエンド部２９Ａが構成される。
【００３５】
２．２（１）  Ｖ相コイルの整列コイルエンド部
一組の整列コイルエンド部２９Ａに着目すると、Ｖ相コイル２１ｖの渡り部２８Ｂは、線状導体３１が径方向外方側：Ｒ２側で軸方向Ｌ及び周方向Ｃに隣接して整列している外方側部分（周方向一方側端部２８Ｂａ）と、線状導体３１が径方向内方側：Ｒ１側で軸方向Ｌ及び周方向Ｃに隣接して整列している内方側部分（周方向他方側端部２８Ｂｂ）と、外方側部分２８Ｂａ及び内方側部分２８Ｂｂの間の段差部（周方向中間部２８Ｂｃ）とを有する。
具体的には、Ｖ相のコイルエンド部２３における渡り部２８Ｂは、周方向Ｃにおける中間部分において径方向Ｒに屈曲した段差部２８Ｂｃを有する。また、Ｖ相のコイルエンド部２３における渡り部２８Ｂは、段差部２８Ｂｃよりも周方向他方側：Ｃ１側であって径方向内方側：Ｒ１側に位置する内方側部分２８Ｂｂと、段差部２８Ｂｃよりも周方向一方側：Ｃ２側であって径方向外方側：Ｒ２側に位置する外方側部分２８Ｂａとを有する。
【００３６】
また、図５に示したように、Ｖ相のコイルエンド部２３における渡り部２８Ｂの外方側部分２８Ｂａでは、４本の線状導体３１が径方向外方側：Ｒ２側で整列し、内方側部分２８Ｂｂでは、４本の線状導体３１が径方向内方側：Ｒ１側で整列する。更に説明すると、渡り部２８Ｂの外方側部分２８Ｂａでは、スロット１２の径方向内方側：Ｒ１側にあるＶ相コイル２１ｖの２本の線状導体３１は、ステータコア１１の軸方向Ｌの外部に引き出された後、スロット１２の径方向外方側：Ｒ２側からステータコア１１の外部に引き出されたＶ相コイル２１ｖの２本の線状導体３１に対して周方向Ｃ及び軸方向Ｌに隣接して整列するように、径方向外方側：Ｒ２側へ屈曲される。また、渡り部２８Ｂの内方側部分２８Ｂｂでは、スロット１２の径方向外方側：Ｒ２側にあるＶ相コイル２１ｖの２本の線状導体３１は、ステータコア１１の軸方向Ｌの外部に引き出された後、スロット１２の径方向内方側：Ｒ１側からステータコア１１の外部に引き出されたＶ相コイル２１ｖの２本の線状導体３１に対して周方向Ｃ及び軸方向Ｌに隣接して整列するように、径方向内方側：Ｒ１側へ屈曲される。
【００３７】
２．２（２）  Ｕ相コイルの整列コイルエンド部
一組の整列コイルエンド部２９Ａに着目すると、Ｕ相コイル２１ｕの渡り部２８Ｂは、線状導体３１が径方向外方側：Ｒ２側で軸方向及び周方向に隣接して整列される。
具体的には、Ｕ相のコイルエンド部２３における渡り部２８Ｂは、Ｖ相の渡り部２８Ｂの内方側部分２８Ｂｂに対して径方向外方側：Ｒ２側に隣接し、且つ、Ｖ相の渡り部２８Ｂの外方側部分２８Ｂａに対して周方向Ｃに隣接して配置されている。つまり、Ｕ相コイル２１ｕの渡り部２８Ｂの一部（Ｕ相コイル２１ｕの周方向一方側：Ｃ２側の部分）は、Ｖ相コイル２１ｖの渡り部２８Ｂの一部（Ｖ相コイル２１ｖの周方向他方側：Ｃ１側の部分）と周方向Ｃに重複するとともに径方向Ｒに対向する。
【００３８】
また、図４に示したように、Ｕ相のコイルエンド部２３における渡り部２８Ｂでは、４本の線状導体３１が径方向外方側：Ｒ２側で整列する。更に説明すると、Ｕ相コイル２１ｕの整列コイルエンド部２９Ａでは、スロット１２の径方向内方側：Ｒ１側にある２本の線状導体３１は、ステータコア１１の軸方向Ｌの外部に引き出された後、スロット１２の径方向外方側：Ｒ２側からステータコア１１の外部に引き出されたＵ相コイル２１ｕの２本の線状導体３１に対して周方向Ｃ及び軸方向Ｌに隣接して整列するように、径方向外方側：Ｒ２側へ屈曲される。
【００３９】
２．２（３）  Ｗ相コイルの整列コイルエンド部
一組の整列コイルエンド部２９Ａに着目すると、Ｗ相コイル２１ｗの渡り部２８Ｂは、線状導体３１が径方向内方側：Ｒ１側で軸方向及び周方向に隣接して整列される。
具体的には、Ｗ相のコイルエンド部２３における渡り部２８Ｂは、Ｖ相の渡り部２８Ｂの外方側部分２８Ｂａに対して径方向内方側：Ｒ１側に隣接し、且つ、Ｖ相の渡り部２８Ｂの内方側部分２８Ｂｂに対して周方向Ｃに隣接して配置されている。つまり、Ｗ相コイル２１ｗの渡り部２８Ｂの一部（Ｗ相コイル２１ｗの周方向他方側：Ｃ１側の部分）は、Ｖ相コイル２１ｖの渡り部２８Ｂの一部（Ｖ相コイル２１ｖの周方向一方側：Ｃ２側の部分）と周方向Ｃに重複するとともに径方向Ｒに対向する。
【００４０】
また、図６に示したように、Ｗ相のコイルエンド部２３における渡り部２８Ｂでは、４本の線状導体３１が径方向内方側：Ｒ１側で整列する。更に説明すると、Ｗ相コイル２１ｗの整列コイルエンド部２９Ａでは、スロット１２の径方向外方側：Ｒ２側にある２本の線状導体３１は、ステータコア１１の軸方向Ｌの外部に引き出された後、スロット１２の径方向内方側：Ｒ１側からステータコア１１の外部に引き出されたＷ相コイル２１ｗの２本の線状導体３１に対して周方向Ｃ及び軸方向Ｌに隣接して整列するように、径方向内方側：Ｒ１側へ屈曲される。
【００４１】
２．３  Ｕ相、Ｖ相及びＷ相の整列コイルエンド部の位置関係
図９に示すように、Ｕ相コイル２１ｕの渡り部２８ＢとＷ相コイル２１ｗの渡り部２８Ｂとが、径方向Ｒに異なる位置に配置されるとともに周方向Ｃには略半分の長さだけ重複する（即ち、径方向Ｒに対向する）ように周方向Ｃにずらして配置される。そして、Ｖ相コイル２１ｖの渡り部２８Ｂの段差部（周方向中間部２８Ｂｃ）に対して周方向一方側：Ｃ２側の部分が、Ｕ相コイル２１ｕの渡り部２８Ｂと径方向Ｒに同じ位置に配置されるとともにＷ相コイル２１ｗの渡り部２８Ｂと周方向Ｃに重複する（即ち、径方向Ｒに対向する）ように配置される。Ｖ相コイル２１ｖの渡り部２８Ｂの段差部（周方向中間部２８Ｂｃ）に対して周方向他方側：Ｃ１側の部分が、Ｗ相コイル２１ｗの渡り部２８Ｂと径方向Ｒに同じ位置に配置されるとともにＵ相コイル２１ｕの渡り部２８Ｂと周方向Ｃに重複する（即ち、径方向Ｒに対向する）ように配置される。
【００４２】
つまり、図７及び図９に示すように、各相の渡り部２８Ｂの径方向Ｒにおける並びに着目すると、各相の渡り部２８Ｂにおける周方向一方側（Ｃ２側）端部２８Ｂａから周方向中間部２８Ｂｃまでが他の２相のうちの一方の渡り部２８Ｂにおける周方向他方側（Ｃ１側）端部２８Ｂｂから周方向中間部２８Ｂｃまでと周方向Ｃに重複し、その重複する部分が径方向Ｒに対向するよう配置されている。また、各相の渡り部２８Ｂにおける周方向他方側（Ｃ１側）端部２８Ｂｂから周方向中間部２８Ｂｃまでが他の２相のうちの他方の周方向一方側（Ｃ２側）端部２８Ｂａから周方向中間部２８Ｂｃまでと周方向Ｃに重複し、その重複する部分が径方向に対向するように配置されている。
【００４３】
３．  ステータの組み立て方法
図１０は、ステータコアに各相のコイルを挿入する工程を説明する斜視図である。図示するように、径方向導体部２５における幅狭凹部３２と、ステータコア１１が有するスロット１２の内周開口部１３とを対応させた状態で、コイル２１を屈曲コイルエンド部２４の側からスロット１２内に軸方向Ｌに挿入する。
具体的には、各相のコイル２１は、各コイル辺部２２がそれぞれ対応するスロット１２内に配置可能な波巻形状となるように予め形成されている。このように、各相のコイル２１を所定形状に予め形成しておくことで、コイル２１をスロット１２に軸方向Ｌに容易に挿入することができる。このとき、本実施形態においては、図１０に示すように、Ｕ相、Ｖ相、及びＷ相の各コイル２１を組み合わせて一つのユニットを形成し、各コイル辺部２２がそれぞれ対応するスロット１２に配置されるように位置合わせした状態で、当該ユニットを一体的にスロット１２内に挿入する。
【００４４】
４．  相間絶縁物の構成
図１１（ａ）は相間絶縁物の斜視図であり、図１１（ｂ）は相間絶縁物の展開図である。図示するように、相間絶縁物６０Ａは、略矩形シート状の絶縁材料を折り曲げ部６３において２つ折りに折り曲げるとともに、折り曲げ部６３の両端側に隣接する２つの辺部６１、６２の双方を接合して形成される。相間絶縁物６０Ａの材料としては、樹脂シートや紙材など、例えばアラミド繊維とポリエチレンテレフタラートを貼り合わせたもの等の電気的絶縁性及び耐熱性の高い材料で形成したシート等を用いることができる。形成された相間絶縁物６０Ａは、径方向外側絶縁部６０ａと、径方向内側絶縁部６０ｂと、周方向一方側絶縁部６０ｃと、周方向他方側絶縁部６０ｄと、軸方向外側絶縁部６０ｅとを有する。相間絶縁物６０が各相の渡り部２８Ｂに装着された状態で、径方向外側絶縁部６０ａは、渡り部２８Ｂの径方向外側：Ｒ２側の面における周方向全体を覆う。径方向内側絶縁部６０ｂは、渡り部２８Ｂの径方向内側：Ｒ１側の面における周方向全体を覆う。周方向一方側絶縁部６０ｃは、径方向外側絶縁部６０ａと径方向内側絶縁部６０ｂとを繋いで渡り部２８Ｂの周方向一方側：Ｃ２側の端部を覆う。周方向他方側絶縁部６０ｄは、径方向外側絶縁部６０ａと径方向内側絶縁部６０ｂとを繋いで渡り部２８Ｂの周方向他方側：Ｃ１側の端部を覆う。軸方向外側絶縁部６０ｅは、径方向外側絶縁部６０ａと径方向内側絶縁部６０ｂとを繋いで渡り部２８Ｂの軸方向外側：Ｌ２側の端部を覆う。
【００４５】
〔相間絶縁物の装着態様１〕
図１２は、相間絶縁物が以下に説明する装着態様１で装着されたときの、整列コイルエンド部における各相の渡り部の、軸方向から見た配置状態を模式的に示す図である。図１３及び図１４は、渡り部に相間絶縁物を装着した状態を例示するステータの斜視図である。尚、図１３では、渡り部２８Ｂへの相間絶縁物６０Ａの装着態様を認識し易いように、相間絶縁物６０Ａを装着する渡り部２８Ｂのみを図示し、一部の線状導体を省略している。
【００４６】
図１２〜図１４に示した例では、相間絶縁物６０Ａが周方向Ｃに重複しない（径方向Ｒに対向しない）形態で、渡り部２８Ｂに相間絶縁物６０Ａが装着される。相間絶縁物６０Ａは各渡り部２８Ｂの全体を覆うため、例えば、径方向Ｒに部分的に対向して配置されている二つの渡り部２８Ｂのそれぞれに相間絶縁物６０Ａが装着されると、その対向した部分は二重に相間絶縁物６０Ａが存在することになる。その場合、過剰な相間絶縁対策が施されることになる。
ところが、図１２〜図１４に示した例では、Ｖ相コイル２１ｖとＵ相コイル２１ｕとの位置関係、及び、Ｖ相コイル２１ｖとＷ相コイル２１ｗとの位置関係に着目すると、渡り部２８Ｂが、互いに周方向Ｃに一部が重複するとともに当該重複する部分が径方向Ｒに対向するように配置されている。そして、相間絶縁物６０Ａが径方向Ｒに対向しない形態をとるように、径方向Ｒに対向する２相の渡り部２８Ｂのうちの一方に相間絶縁物６０Ａが装着される。このように、過剰な相間絶縁対策を施さないことで、必要となる相間絶縁物の量を少なくできる。
【００４７】
つまり、相間絶縁物６０Ａが装着されるＶ相コイル２１ｖの渡り部２８Ｂの周方向一方側（Ｃ２側）部分と径方向Ｒに対向するＷ相コイル２１ｗの渡り部２８Ｂには相間絶縁物６０Ａが装着されないので、そのＶ相コイル２１ｖの渡り部２８Ｂの周方向一方側（Ｃ２側）部分と周方向Ｃに隣接するＵ相コイル２１ｕの渡り部２８Ｂには相間絶縁物６０Ａが装着される。また、相間絶縁物６０Ａが装着されるＶ相コイル２１ｖの渡り部２８Ｂの周方向他方側（Ｃ１側）部分と径方向Ｒに対向するＵ相コイル２１ｕの渡り部２８Ｂには相間絶縁物６０Ａが装着されないので、そのＶ相コイル２１ｖの渡り部２８Ｂの周方向他方側（Ｃ１側）部分と周方向Ｃに隣接するＷ相コイル２１ｗの渡り部２８Ｂには相間絶縁物６０Ａが装着される。具体的には、相間絶縁物６０Ａは、端部が周方向Ｃに順に隣接しているＵ相コイル２１ｕの渡り部２８ＢとＶ相コイル２１ｖの渡り部２８ＢとＷ相コイル２１ｗの渡り部２８Ｂに装着され、且つ、それら相間絶縁物６０Ａが装着されたＵ相コイル２１ｕとＶ相コイル２１ｖとＷ相コイル２１ｗの渡り部２８Ｂと径方向Ｒに対向する渡り部２８Ｂには相間絶縁物６０Ａは装着されない。
【００４８】
この場合、Ｕ相コイル２１ｕの周方向Ｃへの並びと相間絶縁物６０Ａの装着状態とに着目すると、相間絶縁物６０Ａが装着された渡り部２８Ｂと装着されていない渡り部２８Ｂとが順になっている。同様に、Ｖ相コイル２１ｖ及びＷ相コイル２１ｗについても、相間絶縁物６０Ａが装着された渡り部２８Ｂと装着されていない渡り部２８Ｂとが周方向Ｃに順になっている。つまり、図１２〜図１４に示した装着態様１では、Ｕ相コイル２１ｕ、Ｖ相コイル２１ｖ及びＷ相コイル２１ｗの全渡り部２８Ｂのうちの１／２に相間絶縁物６０Ａを装着すればよく、このことからも必要となる相間絶縁物の数を少なくできることが分かる。
【００４９】
この装着態様１の場合、上述のように相間絶縁物の数を少なくしているため、互いに周方向Ｃに隣接する２相のうちの一方のコイルの渡り部２８Ｂの周方向一方側端部２８Ｂａと他方のコイルの渡り部２８Ｂの周方向他方側端部２８Ｂｂのとの間（例えば、Ｕ相コイル２１ｕとＶ相コイル２１ｖとが周方向Ｃに隣接している箇所、Ｖ相コイル２１ｖとＷ相コイル２１ｗとが周方向Ｃに隣接している箇所など）で、相間絶縁物６０Ａが存在しない箇所もある。但し、その箇所（即ち、互いに周方向Ｃに隣接する２相のうちの一方のコイルの渡り部２８Ｂの周方向一方側端部２８Ｂａと他方のコイルの渡り部２８Ｂの周方向他方側端部２８Ｂｂのとの間）の周方向間隔が比較的広く、その空間だけで周方向Ｃに隣接する２相のコイル間の相間絶縁が十分に確保できれば問題はない。
【００５０】
〔相間絶縁物の装着態様２〕
図１５は、相間絶縁物が以下に説明する装着態様２で装着されたときの、整列コイルエンド部における各相の渡り部の、軸方向から見た配置状態を模式的に示す図である。図１６及び図１７は、渡り部に相間絶縁物を装着した状態を例示するステータの斜視図である。尚、図１６では、渡り部２８Ｂへの相間絶縁物６０Ａの装着態様を認識し易いように、相間絶縁物６０Ａを装着する渡り部２８Ｂのみを図示し、一部の線状導体を省略している。
【００５１】
図１５〜図１７に示した例では、相間絶縁物６０Ａは、３相のうちの２相のコイル（Ｕ相コイル２１ｕ及びＷ相コイル２１ｗ）の渡り部２８Ｂに装着される。つまり、全渡り部２８Ｂのうちの２／３に相間絶縁物６０Ａを装着すればよい。上述したように、渡り部２８Ｂには、段差部（周方向中間部２８Ｂｃ）を有する形状のＶ相コイル２１ｖの渡り部２８Ｂと上記段差部を有しない形状のＵ相コイル２１ｕ及びＷ相コイル２１ｗの渡り部２８Ｂとがある。よって、上記段差部を有する形状の渡り部２８Ｂと上記段差部を有しない形状の渡り部２８Ｂとの両方に相間絶縁物を装着するためには、別々の形状の相間絶縁物を用意するか、又は、両方の渡り部２８Ｂに装着可能な程度の形状自由度のある（即ち、大きめの）形状の相間絶縁物を用意する必要がある。
ところが、Ｕ相コイル２１ｕの渡り部２８Ｂ及びＷ相コイル２１ｗの渡り部２８Ｂは、Ｖ相コイル２１ｖの渡り部２８Ｂとは異なり段差部を有しない形状になっている。つまり、同じ形状の相間絶縁物６０Ａを、Ｕ相コイル２１ｕの渡り部２８Ｂ及びＷ相コイル２１ｗの渡り部２８Ｂに対して無理なく装着できる。よって、別々の形状の相間絶縁物を用意することや、又は、両方の渡り部２８Ｂに装着可能な程度の形状自由度のある（即ち、大きめの）形状の相間絶縁物を用意することなどが不要になる。
【００５２】
この装着態様２の場合、上述のように互いに周方向Ｃに隣接する２相のうちの一方のコイルの渡り部２８Ｂの周方向一方側端部２８Ｂａと他方のコイルの渡り部２８Ｂの周方向他方側端部２８Ｂｂのとの間にも相間絶縁物６０Ａが存在している。よって、周方向Ｃに隣接する２相のコイル間の相間絶縁が確実になる。つまり、装着態様２は、装着態様１の場合と比較して、周方向Ｃに隣接する２相のコイル間の相間絶縁の確実性が求められる場合に有用である。
【００５３】
以上のように、渡り部２８Ｂの軸方向外側：Ｌ２側の端部は相間絶縁物６０Ａによって覆われているため、従来のように相間絶縁物６０Ａを軸方向外側：Ｌ２に長くして沿面距離を確保しなくても、渡り部２８Ｂの軸方向外側：Ｌ２側の端部と他の相の渡り部２８Ｂとの相間絶縁は確実になる。つまり、ステータコア１１から軸方向外側：Ｌ２側への相間絶縁物６０Ａの突出長さは渡り部２８Ｂの軸方向外側：Ｌ２側の端部を覆うことのできるだけの長さがあればよい。よって、ステータコア１１から軸方向外側：Ｌ２側への相間絶縁物６０Ａの突出長さを短くでき、それに伴ってステータ２の軸方向Ｌの長さを短くできる。
また、相間絶縁物６０Ａの形状は、渡り部２８Ｂの、径方向外側：Ｒ２側の面における周方向全体と、径方向内側：Ｒ１側の面における周方向全体と、周方向一方側：Ｃ２側の端部と、周方向他方側：Ｃ１側の端部と、軸方向外側：Ｌ２側の端部とを覆う、所謂、袋形状である。そして、その袋形状の相間絶縁物６０Ａを各渡り部２８Ｂに被せることで相間絶縁物６０Ａの装着を行えるため、相間絶縁の施工は容易になる。
【００５４】
〔その他の実施形態〕
（１）上記の実施形態においては、相間絶縁物６０Ａを作製するにあたって、折り曲げ部６３の両端側に隣接する２つの辺部６１、６２の双方を接合して形成される例を説明したが、折り曲げ部６３に隣接する１辺と、その１辺に隣接する別の１辺（折り曲げ部６３と向かい合う１辺）とを接合することで、上述したのと同形状の相間絶縁物を作製してもよい。
また、同じ形状の２枚の略矩形シート状の絶縁材料の隣接する３辺を接合することで、上述したのと同形状の相間絶縁物を作製してもよい。
【００５５】
（２）上記の実施形態においては、相間絶縁物が略矩形シート状の絶縁材料を折り曲げることで形成される例を説明したが、他の形態の相間絶縁物を用いてもよい。例えば、図１８に示す相間絶縁物６０Ｂは、筒状の絶縁材料６０ｆの一方の開口端部を絶縁性のキャップ部材６０ｇに接合したものである。絶縁材料６０ｆ及びキャップ部材６０ｇの材料としては、相間絶縁物６０の材料としては樹脂シートや紙材など、例えばアラミド繊維とポリエチレンテレフタラートを貼り合わせたもの等の電気的絶縁性及び耐熱性の高い材料で形成したシート等を用いることができる。特にキャップ部材６０ｇは樹脂シートを絞り加工して、カップ状の底付筒形状に形成することができる。この場合、上記径方向外側絶縁部６０ａと上記径方向内側絶縁部６０ｂと上記周方向一方側絶縁部６０ｃと上記周方向他方側絶縁部６０ｄとが筒状の絶縁材料６０ｆで形成されると共に、上記軸方向外側絶縁部６０ｅがキャップ部材６０ｇで形成される。
【００５６】
（３）上記の実施形態においては、線状導体３１は、その断面が略矩形状の単一の平角線により構成されており、その周方向幅Ｗ５がスロット内部１４の周方向幅Ｗ３と略等しくなるように形成されている場合を例として説明した。しかし、本発明の実施形態はこれに限定されない。すなわち、線状導体３１の周方向幅Ｗ５は、スロット１２の内周開口部１３の周方向幅Ｗ１よりも広ければ良く、内周開口部１３の周方向幅Ｗ１からスロット内部１４の周方向幅Ｗ３までの間で任意に設定することができる。また、線状導体３１の断面形状についても特に限定されず、例えば丸型、多角形型等、種々の形状を採用することができる。また、その周方向幅Ｗ５が内周開口部１３の周方向幅Ｗ１よりも広く形成されたものであれば、線状導体３１として、複数本の導体があたかも一本の導体であるかのように集合されて構成される、集合体からなる導体を用いることもできる。例えば、複数本の導体が縒り集まって一体的に形成される縒線導体等を用いることも可能である。
【００５７】
（４）上記の実施形態においては、ステータ２が三相交流で駆動される回転電機１に用いられるステータとされている場合を例として説明した。しかし、本発明の実施形態はこれに限定されない。すなわち、ステータ２が二相或いは四相以上の交流電源で駆動される回転電機１に用いられる構成とすることも、本発明の好適な実施形態の一つである。
【００５８】
（５）上記の実施形態においては、スロット１２がセミオープンスロット（径方向内方側に開口する内周開口部１３の周方向幅Ｗ１がスロット内部１４の周方向幅Ｗ３よりも狭く形成されているスロット）の場合について説明したが、スロット１２をオープンスロット（径方向内側に開口する内周開口部１３の周方向幅Ｗ１がスロット内部１４の周方向幅Ｗ１と同等以上に形成されているスロット）としてもよい。
【００５９】
（６）上記の実施形態においては、図４〜図６に示されるような形状を有するコイル２１を同じスロット１２内に径方向Ｒに隣接して三組配置し、一スロット当たり６本のコイル辺部２２が径方向Ｒに一列に整列してスロット１２内に配置される場合を例として説明した。しかし、本発明の実施形態はこれに限定されない。すなわち、径方向Ｒに一列に整列して配置される一スロット１２当たりのコイル辺部２２の本数は適宜変更することが可能である。また、図４〜図６に示される、予め予備形成されるコイル２１の形状はあくまで一例であり、種々の形状を採用することができる。
【００６０】
（７）上記の実施形態においては、本発明に係る回転電機用電機子を回転電機１の固定子としてのステータ２に適用し、回転電機１を、電機子としてのステータ２を備えたインナーロータ型の回転電機とした場合を例として説明した。しかし、本発明の実施形態はこれに限定されない。すなわち、例えば本発明に係る回転電機用電機子を回転電機１の回転子に適用し、回転電機１を、電機子としての回転子を備えたアウターロータ型の回転電機とすることも、本発明の好適な実施形態の一つである。
【産業上の利用可能性】
【００６１】
本発明は、複数相のコイル間の相間絶縁を確保するための相間絶縁物を備える回転電機用電機子に好適に利用することができる。
【符号の説明】
【００６２】
１  回転電機
２  ステータ（回転電機用電機子）
１１  ステータコア（コア）
２１  コイル
２１ｕ  Ｕ相コイル（第一相のコイル）
２１ｖ  Ｖ相コイル（第二相のコイル）
２１ｗ  Ｗ相コイル（第三相のコイル）
２２  コイル辺部
２３  コイルエンド部
２５  径方向導体部
２６  周方向導体部
２８Ｂ  渡り部
２８Ｂａ  周方向一方側端部（外方側部分）
２８Ｂｂ  周方向他方側端部（内方側部分）
２８Ｂｃ  周方向中間部（段差部）
２９Ａ  整列コイルエンド部
６０Ａ、６０Ｂ  相間絶縁物
６０ａ  径方向外側絶縁部
６０ｂ  径方向内側絶縁部
６０ｃ  周方向一方側絶縁部
６０ｄ  周方向他方側絶縁部
６０ｅ  軸方向外側絶縁部
６０ｆ  絶縁材料
６０ｇ  キャップ部材
６１、６２  辺部
６３  折り曲げ部
Ｌ  軸方向
Ｒ  径方向
Ｃ  周方向
【図１】
2010239741.tif 000003
【図２】
2010239741.tif 000004
【図３】
2010239741.tif 000005
【図４】
2010239741.tif 000006
【図５】
2010239741.tif 000007
【図６】
2010239741.tif 000008
【図７】
2010239741.tif 000009
【図８】
2010239741.tif 000010
【図９】
2010239741.tif 000011
【図１０】
2010239741.tif 000012
【図１１】
2010239741.tif 000013
【図１２】
2010239741.tif 000014
【図１３】
2010239741.tif 000015
【図１４】
2010239741.tif 000016
【図１５】
2010239741.tif 000017
【図１６】
2010239741.tif 000018
【図１７】
2010239741.tif 000019
【図１８】
2010239741.tif 000020